(57)【要約】【課題】高速記録の際にも照射時間及び冷却時間の時間分解能を上げることなく正確な記録マークの形成を行えるようにする。【解決手段】付加時間設定部で指示されるオーバーシュート電流の付加時間だけ、付加信号生成部によって変調信号Ｍｏｄ１又はＭｏｄ２の立上がりに同期して付加信号ＭｏｄＯを生成し、その付加信号ＭｏｄＯに基づいてオーバーシュート電流Ｉｏｓが生成されてＬＤ駆動電流に加算し、付加時間設定部で指示されるアンダーシュート電流の付加時間だけ、付加信号生成部によって変調信号Ｍｏｄ２の立下がりに同期して付加信号ＭｏｄＵを生成し、その付加信号ＭｏｄＵに基づいてアンダーシュート電流Ｉｕｓが生成されてＬＤ駆動電流から減算し、そのＬＤ駆動電流に応じた光波形で記録マークを形成する。【選択図】　　　図２
2004062974.tif 000002
【特許請求の範囲】
【請求項１】
光源から複数のパルス列で発光させた光を記録媒体に照射して記録マークを形成する光情報記録方法において、
前記パルス列の少なくとも一部のパルスの立上り近傍後に所定パワーのパルスを所定時間付加し、その付加したパルスの幅を調整することによって前記記録マークの形成を制御することを特徴とする光情報記録方法。
【請求項２】
光源から複数のパルス列で発光させた光を記録媒体に照射して記録マークを形成する光情報記録方法において、
前記パルス列の少なくとも一部のパルスの立上り近傍後に所定時間、所定パワーの第一の付加パルスを付加し、そのパルス列の少なくとも一部のパルスの立下がり近傍後に所定パワーの第二の付加パルスを所定時間付加し、前記第一の付加パルス及び第二の付加パルスの幅を調整することによって前記記録マークの形成を制御することを特徴とする光情報記録方法。
【請求項３】
光源から複数のパルス列で発光させた光を記録媒体に照射して記録マークを形成する光情報記録方法において、
前記パルス列の少なくとも一部の立上がり又は立下がり近傍後の所定時間、所定の付加電流を前記光源の駆動電流に加減算し、前記付加電流の一部を前記光源に並列に生ずる容量への充放電電流にほぼ充当するようにし、前記付加電流の残りを付加パワーとなるように前記所定時間を調整することによって前記記録マークの形成を制御することを特徴とする光情報記録方法。
【請求項４】
請求項１乃至３のいずれか一項に記載の光情報記録方法において、
前記パルス列のうち先頭パルスに付加するパルス幅と最終パルスに付加するパルス幅とそれ以外の中間パルスに付加するパルス幅とをそれぞれ設定することを特徴とする光情報記録方法。
【請求項５】
請求項１乃至４のいずれか一項に記載の光情報記録方法において、
前記付加パルス幅を当該記録マークの前後の情報の長さに基づいて設定することを特徴とする光情報記録方法。
【請求項６】
請求項４記載の光情報記録方法において、
前記先頭パルスに付加するパルス幅を当該記録マーク長及び直前スペース長に基づいて、最終パルスに付加するパルス幅を当該記録マーク長及び直後スペース長に基づいてそれぞれ設定することを特徴とする光情報記録方法。
【請求項７】
光源から複数のパルス列で発光させた光を記録媒体に照射して記録マークを形成する光情報記録装置において、
前記パルス列の少なくとも一部のパルスの立上り近傍後の所定時間、所定値の付加電流を生成する付加電流生成手段と、前記付加電流の付加時間を設定する付加時間設定手段と、前記付加電流を前記光源の駆動電流に加算する加算手段とを設けたことを特徴とする光情報記録装置。
【請求項８】
光源から複数のパルス列で発光させた光を記録媒体に照射して記録マークを形成する光情報記録装置において、
前記パルス列の少なくとも一部のパルスの立上り又は立下がり近傍後の所定時間、所定値の付加電流を生成する付加電流生成手段と、前記付加電流の付加時間を設定する付加時間設定手段と、前記付加電流を前記光源の駆動電流に加減算する加減算手段とを設けたことを特徴とする光情報記録装置。
【請求項９】
光源から複数のパルス列で発光させた光を記録媒体に照射して記録マークを形成する光情報記録装置において、
前記パルス列の少なくとも一部のパルスの立上り又は立下がり近傍後の所定時間、所定値の付加電流を生成する付加電流生成手段と、前記付加電流の一部を前記光源に並列に生ずる容量への充放電電流にほぼ充当するようにし、前記付加電流の残りを付加パワーとなるように付加時間を設定する付加時間設定手段と、前記付加電流を前記光源の駆動電流に加減算する加減算手段とを設けたことを特徴とする光情報記録装置。
【請求項１０】
請求項７乃至９のいずれか一項に記載の光情報記録装置において、
前記付加時間設定手段が、前記パルス列のうち先頭パルスに付加する付加時間と最終パルスに付加する付加時間とそれ以外の中間パルスに付加する付加時間とをそれぞれ設定する手段であることを特徴とする光情報記録装置。
【請求項１１】
請求項７乃至１０のいずれか一項に記載の光情報記録装置において、
前記付加時間設定手段が、当該記録マークの前後の情報の長さに基づいて前記付加時間を設定する手段であることを特徴とする光情報記録装置。
【請求項１２】
請求項１０記載の光情報記録装置において、
前記付加時間設定手段が、前記先頭パルスに付加するパルス幅を当該記録マーク長及び直前スペース長に基づいて、最終パルスに付加するパルス幅を当該記録マーク長及び直後スペース長に基づいてそれぞれ設定する手段であることを特徴とする光情報記録装置。
【発明の詳細な説明】
【０００１】
【発明の属する技術分野】
この発明は、ＣＤ−Ｒディスク，ＣＤ−ＲＷディスク，ＤＶＤ−Ｒディスク，ＤＶＤ−ＲＷディスク，ＤＶＤ＋ＲＷディスク及びＤＶＤ−ＲＡＭディスク等の記録媒体に情報を記録する光情報記録方法と、ＣＤ−Ｒドライブ装置，ＣＤ−ＲＷドライブ装置，ＤＶＤ−Ｒドライブ装置，ＤＶＤ−ＲＷドライブ装置，ＤＶＤ＋ＲＷドライブ装置及びＤＶＤ−ＲＡＭドライブ装置等の光情報記録装置とに関する。
【０００２】
【従来の技術】
従来より、光ディスク装置においては、光源である半導体レーザ光源（ＬａｓｅｒＤｉｏｄｅ、以下「ＬＤ」と略称する）から変調した光を上記のような光ディスク等の記録媒体に照射して情報の記録を行っている。
例えば、ＣＤ−ＲＷディスクやＤＶＤ＋ＲＷディスクなどに代表される相変化型の光ディスクでは、記録面の媒体を融点以上まで昇温し、その媒体の持つ結晶化時間を超えないように急冷することにより、アモルファス状態、つまり記録マークを形成する。
したがって、正確にマーク形状や位置制御を行うためには、媒体への照射エネルギー，時間を正確に制御しなければならず、正確な光波形を生成し、正確なエネルギー照射をする必要がある。高速記録においては、光波形の立上がり又は立下がり特性は特に重要な項目となる。
【０００３】
また、ＣＤ−ＲディスクやＤＶＤ＋Ｒディスクなどに代表される色素系追記型の光ディスクでは、光照射による熱分解やそれに伴う基板変形による光学的変化を生じさせることによって記録マークを形成する。
したがって、これも同様にして、正確にマーク形状や位置制御を行うためには、正確な光波形を生成する必要がある。さらに、ＭＯやＭＤなどに代表される光磁気媒体でも、キュリー点近傍での磁化の反転を利用しており、同様である。
すなわち、いずれの記録媒体においても記録層に光を照射することによって所定の臨界温度以上に昇温させ、物理的又は化学的変化をさせて記録を行っている。そのため、記録媒体への照射エネルギー、つまり照射パワー及び照射時間を正確に制御することが重要になる。
【０００４】
また、ＣＤやＤＶＤなどの多くの光ディスクの記録方法においては、高密度化に適したマークの長さが情報を担うマークエッジ記録が採用されており、正確にデータを再生するためにはマークの形状やエッジ位置の正確な制御が必要となっている。
さらには、マーク長が異なっても一様にマーク形状を整えるため、複数の記録パルスに分割したパルス列で記録マークを形成するマルチパルス記録方法が広く用いられている。
【０００５】
すなわち、加熱と冷却のサイクルを繰り返してマークを繋げて形成することにより、一様な長マークを形成するものである。このような記録方法は、色素系追記型の記録媒体でも適用されている。以下の説明では、記録媒体を昇温させるための高パワーでの照射を行うパルスを加熱パルス、温度上昇をさせないよう（急冷させるよう）低パワーでの照射を行うパルスを冷却パルスと称する。
このため、従来では照射光の時間分解能を向上させて、マーク位置制御を行っている。例えば、相変化型媒体では照射エネルギーの精度と共に急冷を行うための冷却時間の精度も必要となり、照射時間及び冷却時間を補正するようにして記録している光情報記録装置（例えば特開平８−２８７４６５号公報参照）があった。
【０００６】
【発明が解決しようとする課題】
ところで、近年の高速記録化の要求に伴って高速な光変調が求められており、記録品質を保ったまま高速記録化するには照射時間及び冷却時間の時間分解能をより向上させなければならない（例えば、従来の方法でＤＶＤ１０倍速記録をするには、約１００ｐｓもの分解能が必要とされる）。
しかしながら、従来の光情報記録装置では、高速記録化を行うには実現が困難であったり大幅なコストアップを招いてしまうという問題があった。
【０００７】
また、以下に説明するように、照射光の光波形の立上がり又は立下がりの遅れ（なまり）により、適正な加熱・冷却が行われず、マーク形状やマークの位置の精度が損なわれると言う問題もあった。
図５は、従来の光源駆動装置でＬＤを駆動する場合の問題を説明するのに供する回路図である。そのＬＤ駆動部２０１は駆動電流を供給する電流源以外は図示を省略する。また、図６は図５に示す回路によってＬＤから発光される光波形の一例を示す波形図である。
【０００８】
ＬＤは通常、アノード（Ａｎｏｄｅ）・カソード（Ｃａｔｈｏｄｅ）間に接合容量を有する（加えて寄生容量も生じる）。２０２はこの接合容量を考慮した簡便なＬＤ等価モデルである。ＣＬＤは接合容量（寄生容量も含む），ｒはオン抵抗，ＬＤｉは理想ＬＤである。この接合容量ＣＬＤがあると、所定の駆動電流ＩＬＤを急峻な立上り又は立下りでＬＤに流しても（図６の（ａ）参照）、一部の電流は接合容量の充放電電流Ｉｃとして流れるため、理想ＬＤ（ＬＤｉ）にはこの充放電の間に電流の過不足が生じ、ＬＤｉを流れる電流の立上り又は立下がり時間は遅くなり、実際の光出力波形の立上り又は立下がり時間が遅くなり（なまり）、図６の（ｂ）に実線で示すように所望の光波形で発光させることができなくなる。
【０００９】
これにより、マーク形状やマークの位置の精度が損なわれた結果としてデータエラーの原因となる。特に、高速記録する際は高出力なＬＤが必要となるが、一般に高出力なＬＤは接合容量が大きく、さらには高速な立上がり又は立下がりが要求されるため、この問題は顕著である。
この発明は上記の課題を解決するためになされたものであり、高速記録の際にも照射時間及び冷却時間の時間分解能を上げることなく正確な記録マークの形成を行えるようにすることを目的とする。また、ＬＤの接合容量などによる光波形の立上がり又は立ち下がりの遅れ（なまり）を抑制して所望の光波形で発光させてより高精度に記録マークを形成できるようにすることも目的とする。
【００１０】
【課題を解決するための手段】
この発明は上記の目的を達成するため、次の（１）〜（６）の各光情報記録方法と（７）〜（１２）の各光情報記録装置を提供する。
（１）光源から複数のパルス列で発光させた光を記録媒体に照射して記録マークを形成する光情報記録方法において、上記パルス列の少なくとも一部のパルスの立上り近傍後に所定パワーのパルスを所定時間付加し、その付加したパルスの幅を調整することによって上記記録マークの形成を制御する光情報記録方法。
（２）光源から複数のパルス列で発光させた光を記録媒体に照射して記録マークを形成する光情報記録方法において、上記パルス列の少なくとも一部のパルスの立上り近傍後に所定時間、所定パワーの第一の付加パルスを付加し、そのパルス列の少なくとも一部のパルスの立下がり近傍後に所定パワーの第二の付加パルスを所定時間付加し、上記第一の付加パルス及び第二の付加パルスの幅を調整することによって上記記録マークの形成を制御する光情報記録方法。
【００１１】
（３）光源から複数のパルス列で発光させた光を記録媒体に照射して記録マークを形成する光情報記録方法において、上記パルス列の少なくとも一部の立上がり又は立下がり近傍後の所定時間、所定の付加電流を上記光源の駆動電流に加減算し、上記付加電流の一部を上記光源に並列に生ずる容量への充放電電流にほぼ充当するようにし、上記付加電流の残りを付加パワーとなるように上記所定時間を調整することによって上記記録マークの形成を制御する光情報記録方法。
（４）上記（１）〜（３）のいずれかの光情報記録方法において、上記パルス列のうち先頭パルスに付加するパルス幅と最終パルスに付加するパルス幅とそれ以外の中間パルスに付加するパルス幅とをそれぞれ設定する光情報記録方法。
【００１２】
（５）上記（１）〜（４）のいずれかの光情報記録方法において、上記付加パルス幅を当該記録マークの前後の情報の長さに基づいて設定する光情報記録方法。
（６）上記（４）の光情報記録方法において、上記先頭パルスに付加するパルス幅を当該記録マーク長及び直前スペース長に基づいて、最終パルスに付加するパルス幅を当該記録マーク長及び直後スペース長に基づてそれぞれ設定する光情報記録方法。
【００１３】
（７）光源から複数のパルス列で発光させた光を記録媒体に照射して記録マークを形成する光情報記録装置において、上記パルス列の少なくとも一部のパルスの立上り近傍後の所定時間、所定値の付加電流を生成する付加電流生成手段と、上記付加電流の付加時間を設定する付加時間設定手段と、上記付加電流を上記光源の駆動電流に加算する加算手段を設けた光情報記録装置。
（８）光源から複数のパルス列で発光させた光を記録媒体に照射して記録マークを形成する光情報記録装置において、上記パルス列の少なくとも一部のパルスの立上り又は立下がり近傍後の所定時間、所定値の付加電流を生成する付加電流生成手段と、上記付加電流の付加時間を設定する付加時間設定手段と、上記付加電流を上記光源の駆動電流に加減算する加減算手段を設けた光情報記録装置。
【００１４】
（９）光源から複数のパルス列で発光させた光を記録媒体に照射して記録マークを形成する光情報記録装置において、上記パルス列の少なくとも一部のパルスの立上り又は立下がり近傍後の所定時間、所定値の付加電流を生成する付加電流生成手段と、上記付加電流の一部を上記光源に並列に生ずる容量への充放電電流にほぼ充当するようにし、上記付加電流の残りを付加パワーとなるように付加時間を設定する付加時間設定手段と、上記付加電流を上記光源の駆動電流に加減算する加減算手段を設けた光情報記録装置。
（１０）上記（７）〜（９）のいずれかの光情報記録装置において、上記付加時間設定手段を、上記パルス列のうち先頭パルスに付加する付加時間と最終パルスに付加する付加時間とそれ以外の中間パルスに付加する付加時間とをそれぞれ設定する手段にするとよい。
【００１５】
（１１）上記（７）〜（１０）のいずれかの光情報記録装置において、上記付加時間設定手段を、当該記録マークの前後の情報の長さに基づいて上記付加時間を設定する手段にするとよい。
（１２）上記（１０）の光情報記録装置において、上記付加時間設定手段を、上記先頭パルスに付加するパルス幅を当該記録マーク長及び直前スペース長に基づいて、最終パルスに付加するパルス幅を当該記録マーク長及び直後スペース長に基づいてそれぞれ設定する手段にするとよい。
【００１６】
【発明の実施の形態】
以下、この発明の実施形態を図面に基づいて具体的に説明する。
図１は、この発明の一実施形態である光情報記録装置の主要な構成を示すブロック図である。また、図２は図１に示した光情報記録装置の各部の信号波形を示す波形図である。
この光情報記録装置は、ＣＤ−Ｒドライブ装置，ＣＤ−ＲＷドライブ装置，ＤＶＤ−Ｒドライブ装置，ＤＶＤ−ＲＷドライブ装置，ＤＶＤ＋ＲＷドライブ装置及びＤＶＤ−ＲＡＭドライブ装置等の光ディスクドライブであり、図１に示すように、その光源駆動部１は、ＬＤの照射レベルＰ０，Ｐ１，Ｐ２を設定するそれぞれのデータＰ０Ｄａｔａ，Ｐ１Ｄａｔａ，Ｐ２Ｄａｔａを出力する照射レベル設定部２と、記録データ信号Ｗｄａｔａと記録クロック信号ＷＣＫとからＬＤの変調信号Ｍｏｄ１，Ｍｏｄ２を生成して出力する変調信号生成部４を有する。
【００１７】
また、ＬＤの照射レベルＰ０，Ｐ１，Ｐ２にそれぞれ対応した照射レベルデータＰ０Ｄａｔａ，Ｐ１Ｄａｔａ，Ｐ２Ｄａｔａ及び変調信号Ｍｏｄ１，Ｍｏｄ２に基づいてＬＤ変調電流Ｉｍｏｄを生成して出力する変調部３と、変調信号生成部４の生成する変調タイミング（変調信号Ｍｏｄ１，Ｍｏｄ２の立上がり又は立下がりタイミング、又はその一部に対応する）に基づいて加熱パルスへの付加パワーを重畳するオーバーシュート電流Ｉｏｓ及び冷却パルスへの付加パワーを重畳するアンダーシュート電流Ｉｕｓを生成する付加電流生成部１８（以下、Ｉｏｓ及びＩｕｓを付加電流と総称する）と、ＬＤの出射光の一部をモニタするモニタ受光部ＰＤからのモニタ受光信号が入力され、そのモニタ受光信号に基づいてＬＤの出射光量が所望の値となるようにバイアス電流Ｉｂｉａｓ及び変調電流のスケールを指示するスケール信号Ｉｓｃｌを制御するＬＤ制御部７を有する。
【００１８】
さらに、ＬＤ変調電流Ｉｍｏｄとバイアス電流Ｉｂｉａｓとを加算し、さらにオーバーシュート電流Ｉｏｓを加算してアンダーシュート電流Ｉｕｓを減算する加減算部５と、その加減算部５から供給される電流ＩＬＤ′を増幅してＬＤの駆動電流ＩＬＤを供給する電流駆動部６と、光源駆動部１を搭載したこの情報記録装置全体を制御するコントローラ１９から供給される制御コマンドを受けて各部へ制御信号を供給する制御部１７を有する。
【００１９】
より詳細には、変調部３は、照射レベルデータＰ０Ｄａｔａ，Ｐ１Ｄａｔａ，Ｐ２Ｄａｔａに基づいてそれぞれ電流Ｉ０，Ｉ１，Ｉ２を供給する電流源８（Ｐ０ＤＡＣ８ａ，Ｐ１ＤＡＣ８ｂ，Ｐ２ＤＡＣ８ｃからなる）と、変調信号Ｍｏｄ１，Ｍｏｄ２に従ってそれぞれ電流Ｉ１，Ｉ２をオンオフ制御するスイッチ９ｂ，９ｃと、スイッチ９のオン時に出力される各電流を加算してＬＤ変調電流Ｉｍｏｄを供給する加算部１０から構成される。
【００２０】
また、付加電流生成部１８は、変調信号生成部４の生成する変調タイミングに基づいてオーバーシュート電流Ｉｏｓ及びアンダーシュート電流Ｉｕｓを重畳する期間を指定する付加信号（それぞれＭｏｄＯ，ＭｏｄＵ）を生成する付加信号生成部１１と、オーバーシュート電流Ｉｏｓ及びアンダーシュート電流Ｉｕｓの電流値Ｉ３，Ｉ４を設定し、その設定データＰ３Ｄａｔａ，Ｐ４Ｄａｔａを供給する付加パワー設定部１６と、オーバーシュート電流設定データＰ３Ｄａｔａ又はアンダーシュート電流設定データＰ４Ｄａｔａに基づいてそれぞれ電流Ｉ３，Ｉ４をそれぞれ供給する電流源Ｐ３ＤＡＣ１３ａ，Ｐ４ＤＡＣ１３ｂと、付加信号ＭｏｄＯ，ＭｏｄＵに従ってそれぞれ電流Ｉ３，Ｉ４をオンオフ制御してオーバーシュート電流Ｉｏｓ及びアンダーシュート電流Ｉｕｓを生成するスイッチ１４ａ，１４ｂと、オーバーシュート電流Ｉｏｓ及びアンダーシュート電流Ｉｕｓの付加時間を設定する付加時間設定部１５から構成される。
【００２１】
なお、ＬＤ制御部７は、公知技術を適用すればよいので、その詳細な構成と動作の説明は省略するが、バイアス電流ＩｂｉａｓはほぼＬＤの閾値電流Ｉｔｈとなるように、スケール信号ＩｓｃｌはＬＤの微分量子効率に応じて制御する。
【００２２】
図２は、図１に示した各部の主要信号の信号波形の一例を示す波形図である。
ここでは相変化型記録媒体への記録時の場合を例示しており、同図の（ｃ）に示すように光波形が所望の光波形であり、その光の照射により、同図の（ｄ）に示すような記録マークが形成される。
同図の（ｃ）に示す光波形の各照射レベルは、ボトムパワーレベルＰｂ，イレースパワーレベルＰｅ，ライトパワーレベルＰｗであり、それぞれ電流ＩＬＤ′がＩｂｉａｓ＋Ｉ０，Ｉｂｉａｓ＋Ｉ０＋Ｉ１，Ｉｂｉａｓ＋Ｉ０＋Ｉ２となる照射レベルである。つまり、照射レベルは電流値Ｉ０，Ｉ１，Ｉ２をそれぞれ設定する照射レベルデータＰ０Ｄａｔａ，Ｐ１Ｄａｔａ，Ｐ２Ｄａｔａによって決められる。
【００２３】
また、Ｐｗ２はライトパワーレベルＰｗにパワー付加した照射レベルであり、パワー付加分（Ｐｗ２−Ｐｗ）はＩ３に相当する。同様にして、Ｐｂ２はボトムパワーレベルＰｂからＩ４に相当するパワー分引いた照射レベルである。
そして、同図の（ｄ）に示すように、マルチパルス列のうち、先頭パルスＴＰとその次の冷却パルスによって記録マークの前縁部ａが、最終パルスＬＰとその次の冷却パルスによって記録マークの後縁部ｃが、中間パルスＭＰと次の冷却パルスでそれぞれ中間部ｂ１，ｂ２がそれぞれ形成されて、同図の（ｂ）に示す記録データＷｄａｔａに対応したひとつの記録マークができる。
同図の（ｅ−１）に示す変調信号Ｍｏｄ１と同図の（ｅ−２）に示す変調信号Ｍｏｄ２は、変調信号生成部４において予め設定された所望の光波形の変調タイミングを指示する駆動波形情報に基づいて記録データＷｄａｔａ（同図の（ｂ））に対応して生成される。
【００２４】
同図の（ｆ−１）に示す付加信号ＭｏｄＯは、付加信号生成部１１において変調信号Ｍｏｄ１又はＭｏｄ２の立上がりに同期して付加時間設定部１５によって指示されるオーバーシュート電流の付加時間（Ｔｏ１，Ｔｏ２，Ｔｏ３）だけ「ハイ（Ｈ）」となるように生成される。その付加時間（Ｔｏ１，Ｔｏ２，Ｔｏ３）は、それぞれＴＰ，ＭＰ，ＬＰへの付加時間を示す。
これにより、オーバーシュート電流Ｉｏｓが生成されてＬＤ駆動電流に加算される。同様にして、同図の（ｆ−２）に示す付加信号ＭｏｄＵは、変調信号Ｍｏｄ２の立下がりに同期して付加時間設定部１５によって指示されるアンダーシュート電流の付加時間（Ｔｕ１，Ｔｕ２，Ｔｕ３）だけ「ハイ（Ｈ）」となるように生成される。これら変調信号及び付加信号に従って駆動電流ＩＬＤが生成され、これに応じた光波形（同図の（ｃ））が得られる。
つまり、加熱パルスの立上がり時に付加パワーが加算され、加熱パルスの立下り時に（冷却パルスの先頭に）付加パワー分減算された光波形となる。
【００２５】
図３は、この付加パワーを加算した過熱パルスと照射エネルギーの関係を示す線図である。
同図において、光波形ａは付加パワーΔＰを加算しない場合の波形であり、光波形ｂ〜ｅは順次付加パワー幅を増加した波形である。照射エネルギーは照射パワーを積分した値となるので、各光波形ａ〜ｅに対応する照射エネルギーは図示のようになる。また、光波形ｃ′とｅ′は付加パワーを加えずに加熱パルス幅を変化させて照射エネルギーを調整したものである。それぞれ光波形ｃとｅと同等の照射エネルギーを加える。
上述したように記録マークの形成は照射光による昇温により行われるので、照射エネルギーの分解能を向上させることにより、媒体の熱変化も精度よく制御でき、精度よいマーク形成制御が可能となる。
【００２６】
つまり、この実施形態の光情報記録装置のように、加熱パルスに付加パワーを加算し、その付加パワー幅を調整することにより、パルス幅分解能を向上させることなく、照射エネルギーの分解能を向上させることができ、精度よいマーク形成制御が可能となる。これは、パルス幅分解能の向上が困難な高速記録時により好適に作用する。
同様に冷却パルスに付加パワーを減算することにより、冷却速度もより高精度に制御可能となり、より精度よいマーク形成制御が可能となる。
【００２７】
また、先頭パルスＴＰ，中間パルスＭＰ，最終パルスＬＰに付加する付加信号パルス幅（Ｔｏ１，Ｔｏ２，Ｔｏ３及びＴｕ１，Ｔｕ２，Ｔｕ３）をそれぞれ調整することにより、記録マークの前縁部，中間部，後縁部の形状をそれぞれ精度よく形成でき、一様に精度よい記録マークが形成できる。
【００２８】
ところで、記録媒体によっては熱伝導率が高く、畜熱効果により記録マークの形成に前後の記録マークから熱影響を受けエッジシフトを生じるものがある。特に色素系追記型記録媒体ではこれが顕著である。そこで、従来では記録マークの前後のスペース長に応じて、記録パルスのパルス幅の調整を行っている。しかしながら、上述と同様に高速記録化の際にはこのパルス幅調整の時間分解能を向上させることは困難である。
【００２９】
この場合に好適な実施形態の情報記録装置を再び図１と図２に基づいて説明する。上述と同じ動作と機能を果たすものはその説明を省略する。
この実施形態の情報記録装置では、変調信号生成部４が、入力される記録データＷｄａｔａのランレングスを計測し、マーク長Ｍ１，直前のスペース長Ｓ０，直後スペース長Ｓ１を付加時間設定部１５に供給する。同時に変調信号Ｍｏｄ１，Ｍｏｄ２の生成もこのＭ１，Ｓ０，Ｓ１に基づいて生成する。
また、付加時間設定部１５が、供給されるＭ１，Ｓ０，Ｓ１に対応する付加時間（Ｔｏ１，Ｔｏ２，Ｔｏ３及びＴｕ１，Ｔｕ２，Ｔｕ３）を選択して付加信号生成部１１へ供給する。
このようにすれば、隣接記録マークからの熱影響を考慮して照射エネルギーを調整することができ、より高精度な記録マークを形成することができる。
【００３０】
なお、各付加時間をより影響度の高いランレングスにより補正するようにすると、上述の効果を得た上で回路の低減もできる。
すなわち、先頭パルスＴＰへの付加時間Ｔｏ１，Ｔｕ１を直前スペースＳ０とマーク長Ｍ１に従って設定し、最終パルスＬＰへの付加時間Ｔｏ３，Ｔｕ３をマーク長Ｍ１と直後スペース長Ｓ１に従って設定するようにすればよい。さらには中間パルスＭＰへの付加時間Ｔｏ２，Ｔｕ２をマーク長Ｍ１に従い設定するようにしてもよい。
【００３１】
次に、上述したＬＤの接合容量の影響によって光波形の立上がり又は立下がりの遅れ（なまり）が生じるＬＤを使用する場合に好適な実施形態を説明する。
この実施形態の情報記録装置では、図１に示した情報記録装置の付加時間設定部１５によって設定する付加時間をＬＤの接合容量への充放電電流にほぼ相当する分だけ加算する点が上述のものとは異なる。つまり、付加時間の加算分をΔｔとすれば、Δｔ・Ｉ３が接合容量への充電電流となるようにΔｔを設定する。
【００３２】
図４は、この実施形態の情報記録装置における動作説明に供するＬＤの駆動電流と光波形の波形図である。
同図の（ｉ）に示すように、ＬＤの駆動電流ＩＬＤの波形ａは駆動電流の立上り時にオーバーシュート電流Ｉｏｓを付加しない場合であり、波形ｂ〜ｄはオーバーシュート電流Ｉｏｓの付加時間を順次増加させた場合である。また、同図の（ｉｉ）に示すように、光波形は上記駆動電流ＩＬＤに対するそれぞれの光波形例である。
光波形ａは、ＬＤの接合容量への充電電流のために立上りがなまり、光波形ｂは付加したオーバシュート電流Ｉｏｓが丁度充電電流として充当された場合である。さらに、付加時間を増加させた場合は光波形ｃ，ｄのように付加パワー分となり、先の実施形態と同様に照射エネルギー分解能を向上させる機能を果たす。
【００３３】
このようにして生成して重畳されるオーバーシュート電流Ｉｏｓ及びアンダーシュート電流Ｉｕｓの一部は、駆動するＬＤの接合容量への充放電電流として充当されるため、これによる光波形の立上がり又は立下がり時間の遅れ（なまり）を抑制することができ、さらに残りが加熱パルスに付加パワーを加算して、パルス幅分解能を向上させることなく、照射エネルギーの分解能を向上させることができるので、その結果、付加パルスも含め所望の光波形で発光させることができ、正確な記録マーク形成ができる。
【００３４】
なお、使用するＬＤにより、その接合容量は異なるため、充放電電流の充当分を使用するＬＤに適正になるように電流値を設定するようにすると、過不足なく充放電電流として充当できるので、さらに理想的な光波形とすることができ、より正確な記録マーク形成ができる。この実施形態の情報記録装置では付加パワー設定部１６がその機能を果たす。
また、オーバーシュート電流Ｉｏｓ及びアンダーシュート電流Ｉｕｓの付加時間を変更するようにしても、同様の効果が得られる。この実施形態の情報記録装置では付加時間設定部１５がその機能を果たす。
もちろんこれらを組み合わせたものであってもよい。
【００３５】
さらには、変化する照射レベル差に応じて、オーバーシュート電流Ｉｏｓ及びアンダーシュート電流Ｉｕｓの電流値あるいは付加時間を変更するようにするとさらによい。
つまり、変化する照射レベル差（例えば、Ｐｅ→Ｐｗ，Ｐｂ→Ｐｗ，Ｐｂ→Ｐｅ）により、ＬＤのカソード・アノード間の電位差の変化量が異なるため、充放電電流も異なる。よって、変化する照射レベル差に応じて、重畳時間（Ｔｏ１，Ｔｏ２，Ｔｏ３）を変更するようにすると、光波形の立上がり又は立下がり時間の遅れ（なまり）をより正確に抑制することができる。また、電流値を変更するようにしても同様の効果が得られる。
【００３６】
上述したように、上記実施形態の情報記録装置において、パルス列の少なくとも一部のパルスの立上り近傍後に所定パワーのパルスを所定時間付加し、その付加したパルスの幅を調整するようにすれば、パルス幅分解能を向上させることなく、照射エネルギーの分解能を向上させることができ、精度よいマーク形成制御が可能となる。これは、パルス幅分解能の向上が困難な高速記録時により好適に作用する。
また、パルス列の少なくとも一部のパルスの立上り近傍後に所定時間、所定パワーの第一の付加パルスを付加し、そのパルス列の少なくとも一部のパルスの立下がり近傍後に所定パワーの第二の付加パルスを所定時間付加し、第一及び第二付加パルスの幅を調整するようにすれば、パルス幅分解能を向上させることなく、照射エネルギーの分解能を向上させることができ、かつ冷却速度もより高精度に制御可能となり、より精度よいマーク形成制御が可能となる。
【００３７】
さらに、パルス列の少なくとも一部の立上がり又は立下がり近傍後の所定時間、所定の付加電流を光源の駆動電流に加減算し、付加電流の一部が光源に並列に生ずる容量への充放電電流にほぼ充当するようにし、残りが付加パワーとなるよう所定時間を調整するようにすれば、光源の接合容量などの影響によって生じる光波形の立上がり又は立下がり時間の遅れ（なまり）を抑制することができ、さらに残りが加熱パルスに付加パワーを加算して、パルス幅分解能を向上させることなく、照射エネルギーの分解能を向上させることができるので、その結果、付加パルスも含め所望の光波形で発光させることができ、正確な記録マーク形成ができる。
【００３８】
また、パルス列のうち先頭パルスに付加するパルス幅と最終パルスに付加するパルス幅とそれ以外の中間パルスに付加するパルス幅とをそれぞれ設定するようにすれば、記録マークの前縁部，中間部，後縁部の形状をそれぞれ精度よく形成でき、一様に精度よい記録マークが形成できる。
さらに、付加パルス幅を当該記録マークの前後の情報の長さに基づいて設定するようにすれば、パルス幅分解能を向上させることなく、隣接記録マークからの熱影響を考慮して照射エネルギーを調整することができ、より高精度な記録マークを形成することができる。
さらにまた、先頭パルスに付加するパルス幅を当該記録マーク長及び直前スペース長に基づいて最終パルスに付加するパルス幅を当該記録マーク長及び直後スペース長に基づいてそれぞれ設定するようにすれば、簡便な手段によって、パルス幅分解能を向上させることなく隣接記録マークからの熱影響を考慮して照射エネルギーを調整することができ、より高精度な記録マークを形成することができる効果が得られる。
【００３９】
【発明の効果】
以上説明してきたように、この発明の光情報記録方法及び光情報記録装置によれば、高速記録の際にも照射時間及び冷却時間の時間分解能を上げることなく正確な記録マークの形成を行える。
【図面の簡単な説明】
【図１】この発明の一実施形態である光情報記録装置の主要な構成を示すブロック図である。
【図２】図１に示した光情報記録装置の各部の信号波形を示す波形図である。
【図３】付加パワーを加算した過熱パルスと照射エネルギーの関係を示す線図である。
【図４】この実施形態の情報記録装置における動作説明に供するＬＤの駆動電流と光波形の波形図である。
【図５】従来の光源駆動装置でＬＤを駆動する場合の問題を説明するのに供する回路図である。
【図６】図５に示す回路によってＬＤから発光される光波形の一例を示す波形図である。
【符号の説明】
１：光源駆動部　　　　　　２：照射レベル設定部
３：変調部　　　　　　　　４：変調信号生成部
５：加減算部　　　　　　　６：電流駆動部
７：ＬＤ制御部　　　　　　８：電流源
９：スイッチ　　　　　　　１０：加算部
１１：付加信号生成部　　　１３ａ，１３ｂ：電流源
１４ａ，１４ｂ：スイッチ　１５：付加時間設定部
１６：付加パワー設定部　　１８：付加電流生成部
１９：コントローラ　　　　２０１：ＬＤ駆動部
２０２：ＬＤ等価モデル
【図１】
2004062974.tif 000003
【図２】
2004062974.tif 000004
【図３】
2004062974.tif 000005
【図４】
2004062974.tif 000006
【図５】
2004062974.tif 000007
【図６】
2004062974.tif 000008